(57)【要約】【課題】表示システム及びその書込システムにおいて、操作性を良好にすることを第１の課題とし、単体では自立できないフレキシブルなディスプレイを、容易な操作で、かつ、できるだけ少ない支点で自立させることを第２の課題とする。【解決手段】可撓性の表示パネルを複数枚有し、これらを駆動するための駆動回路を内蔵している綴じ部を備えたディスプレイと、ディスプレイの綴じ部に係合する溝部を有しディスプレイに対して着脱可能で、蓄電手段と、該蓄電手段に蓄えられた電力をディスプレイに給電するための給電手段とを有する書込器と、書込器に電力を供給するための電力供給手段を有するクレードルと、を含む表示システム。【選択図】図１
2007298653.tif 000002
【特許請求の範囲】
【請求項１】
メモリ性を有し、通電により書き込みが行われる、可撓性の表示パネルを複数枚有し、前記複数枚の表示パネルを綴じるとともに、これらを駆動するための駆動回路を内蔵している綴じ部を備えたディスプレイと、
該ディスプレイに画像の更新を指示するための書込器であって、前記ディスプレイの綴じ部に係合する溝部を有し前記ディスプレイに対して着脱可能であり、さらに、蓄電手段と、該蓄電手段に蓄えられた電力を前記ディスプレイに給電するための給電手段とを有する書込器と、
前記書込器を載置するための窪みと、前記書込器の蓄電手段に電力を供給するための電力供給手段とを有するクレードルと、
を含むことを特徴とする表示システム。
【請求項２】
前記クレードルは、前記ディスプレイの下端角部を案内するためのスリットを有し、該スリットは、前記書込器をクレードルの窪みに載置したときの書込器の溝部と一致する位置に設けられていることを特徴とする請求項１に記載の表示システム。
【請求項３】
メモリ性を有し、通電により書き込みが行われる、可撓性の表示パネルを複数枚有し、前記複数枚の表示パネルの端部を保持するとともに、これらを駆動するための駆動回路を内蔵している綴じ部を備えたディスプレイの書込システムであって、
前記ディスプレイに画像の更新を指示するための書込器であって、前記ディスプレイの綴じ部に係合する溝部を有し前記ディスプレイに対して着脱可能であり、さらに、蓄電手段と、該蓄電手段に蓄えられた電力を前記ディスプレイに給電するための給電手段を有する書込器と、
前記書込器を載置するための窪みと、前記ディスプレイの下端角部を案内するためのスリットと、前記書込器の蓄電手段に電力を供給するための電力供給手段とを有するクレードルであって、前記書込器をクレードルの窪みに載置したときの前記書込器の溝部とスリットとが一致する位置に設けられているクレードルと、を備えたことを特徴とする書込システム。
【請求項４】
前記書込器は前記溝部に対して背中合わせに設けられた第２の溝部を有することを特徴とする請求項３に記載の書込システム。
【請求項５】
前記書込器は上下対象形状であることを特徴とする請求項３又は４に記載の書込システム。
【請求項６】
前記クレードルが放射形状であることを特徴とする請求項３乃至５の何れか１項に記載の書込システム。
【請求項７】
前記クレードルがスリットを複数有することを特徴とする請求項３乃至６の何れか１項に記載の書込システム。
【発明の詳細な説明】
【技術分野】
【０００１】
本発明は、メモリ性を有し、通電により書き込みが行われる、可撓性の表示パネルを複数枚有するディスプレイを含む表示システム、及び、これに用いる書込システムに関する。
【背景技術】
【０００２】
近年、電子的に書き換え可能な、シート状の可撓性表示媒体が種々提案されるようになり、これらを複数枚綴じた構成のノート状のディスプレイが提案されるようになっている（例えば、特許文献１参照）。一方、メモリ性を有する表示パネルを、表示パネルの書込み手段から取り外し可能とすることが提案されている（例えば、特許文献２、３参照）。
【特許文献１】特開２０００−１３２１２１号公報
【特許文献２】特開平６−１２３８８０号公報
【特許文献３】特開２００２−４２０７１号公報
【発明の開示】
【発明が解決しようとする課題】
【０００３】
しかしながら、メモリ性を有しフレキシブルな表示シートを多数枚備えた本感覚のディスプレイを本のように手に持って捲ったり表示を書き換えたりするという操作については、十分な検討がなされていないのが実情である。
【０００４】
また、この種のディスプレイはページ数が多いこともあって、全てのページの画像を更新するのに時間がかかるため、例えば、夜間に新刊情報を自動配信するという使用方法が想定される。そこで、新しい情報が届いたことがわかるように、ディスプレイを自立させてやることが考えられる。ところが、画面が更新されて多数の情報をフレキシブルであるが故に単体では自立できないフレキシブルなディスプレイを、容易な操作で、かつ、表示面が隠れるのを防ぎつつ、できるだけ少ない支点で自立させることについて検討がなされていなかった。
【０００５】
本発明は、上記事情に鑑みてなされたものであり、メモリ性を有し、通電により書き込みが行われる、可撓性の表示パネルを複数枚有するディスプレイを含む表示システム及びその書込システムにおいて、操作性を良好にすることを課題とする。また、本発明は、単体では自立できないフレキシブルなディスプレイを、容易な操作で、かつ、できるだけ少ない支点で自立させることを他の課題とする。
【課題を解決するための手段】
【０００６】
上記の本発明の目的は以下の手段によって達成することが出来る。
１．
メモリ性を有し、通電により書き込みが行われる、可撓性の表示パネルを複数枚有し、前記複数枚の表示パネルを綴じるとともに、これらを駆動するための駆動回路を内蔵している綴じ部を備えたディスプレイと、
該ディスプレイに画像の更新を指示するための書込器であって、前記ディスプレイの綴じ部に係合する溝部を有し前記ディスプレイに対して着脱可能であり、さらに、蓄電手段と、該蓄電手段に蓄えられた電力を前記ディスプレイに給電するための給電手段とを有する書込器と、
前記書込器を載置するための窪みと、前記書込器の蓄電手段に電力を供給するための電力供給手段とを有するクレードルと、
を含むことを特徴とする表示システム。
２．
前記クレードルは、前記ディスプレイの下端角部を案内するためのスリットを有し、該スリットは、前記書込器をクレードルの窪みに載置したときの書込器の溝部と一致する位置に設けられていることを特徴とする１に記載の表示システム。
３．
メモリ性を有し、通電により書き込みが行われる、可撓性の表示パネルを複数枚有し、前記複数枚の表示パネルの端部を保持するとともに、これらを駆動するための駆動回路を内蔵している綴じ部を備えたディスプレイの書込システムであって、
前記ディスプレイに画像の更新を指示するための書込器であって、前記ディスプレイの綴じ部に係合する溝部を有し前記ディスプレイに対して着脱可能であり、さらに、蓄電手段と、該蓄電手段に蓄えられた電力を前記ディスプレイに給電するための給電手段を有する書込器と、
前記書込器を載置するための窪みと、前記ディスプレイの下端角部を案内するためのスリットと、前記書込器の蓄電手段に電力を供給するための電力供給手段とを有するクレードルであって、前記書込器をクレードルの窪みに載置したときの前記書込器の溝部とスリットとが一致する位置に設けられているクレードルと、を備えたことを特徴とする書込システム。
４．
前記書込器は前記溝部に対して背中合わせに設けられた第２の溝部を有することを特徴とする３に記載の書込システム。
５．
前記書込器は上下対象形状であることを特徴とする３又は４に記載の書込システム。
６．
前記クレードルが放射形状であることを特徴とする３乃至５の何れか１項に記載の書込システム。
７．
前記クレードルがスリットを複数有することを特徴とする３乃至６の何れか１項に記載の書込システム。
【発明の効果】
【０００７】
本発明の請求項１の表示システム及び請求項３の書込システムによれば、書込器とディスプレイを別体にしているので、描画後はディスプレイのみでまさしく本感覚で閲覧することができる。一方、書込器をディスプレイに装着すれば、閲覧時に表示内容の更新も行うことができる。その際、書込器は綴じ部に係合しているだけなので、ディスプレイのページを捲る動作に支障がない。また、クレードルは別体であるため、書き換えが必要なときでも重くならない。
【０００８】
本発明の請求項２の表示システム及び請求項３の書込システムによれば、請求項１で説明した効果に加えて、クレードルにスリットを設けることで、書込器、及び、クレードルをディスプレイに組み合わせるという簡単な操作によって、単独では自立させにくいディスプレイを自立させることができる。また、ディスプレイが自立した状態で、給電を行いながら、新しい画像情報の受信等に合わせて適宜画面を更新することにより、観察者に表示内容を見せやすくすることができる。
【発明を実施するための最良の形態】
【０００９】
以下、本発明の実施形態を、図面を用いて詳しく説明する。
【００１０】
本発明の第１実施形態として、マガジン１冊を自立させるタイプについて説明する。図１は、本発明の第１実施形態である表示システム１の外観図（各部を取り外した状態）であり、図２は表示システム１の外観図（各部を組み合わせた状態）である。
【００１１】
図１、２に示すように、本表示システム１は、単体では自立できないフレキシブルな表示シート２１からなるマガジン型ディスプレイ２と、マガジン型ディスプレイ２に描画を指示するための書込器３と、書込器３が載置されるクレードル４と、から構成される。
【００１２】
マガジン型ディスプレイ２、書込器３、クレードル４はそれぞれ着脱自在であり、マガジン型ディスプレイ２と書込器３との２つを組み合わせた状態で使用することもできるし、書込器３とクレードル４とを組み合わせた状態（つまり、書込器３をクレードル４において書込器３に内蔵された二次電池を充電する）で使用することもできる。
【００１３】
マガジン型ディスプレイ２、書込器３、クレードル４の３者を組み合わせることで、図２に示すように、単体では自立させにくいマガジン型ディスプレイ２を自立させることができる。ディスプレイが自立することで表示内容を観察されやすくすることができる。マガジン型ディスプレイ２の下方の隅部のみで支持されるだけなので、マガジン型ディスプレイ２を覆って表示内容を隠してしまう部分が少なく、表示内容を視認しやすい。また、給電可能状態で自立しているので、例えば夜間などに新しい情報を受信して自動的に画面の表示を更新した場合に、ユーザーに気づかれやすくすることができる。
【００１４】
具体的には、クレードル４の窪みに書込器３の底部を置き、さらにクレードル４のスリット及び書込器３の溝部にマガジン型ディスプレイ２の綴じ部をはめ込むことで、ディスプレイ下方の隅部の下辺及び側辺の一部が支持され、非常に少ない支点でディスプレイを自立させることができる。書込器３やクレードル４によって画面が隠されてしまう部分も非常に少なくてすむ。
【００１５】
図３は、マガジン型ディスプレイ２及び表示部の詳細構成であり、図４は表示部の配線の詳細構成である。
【００１６】
これらの図に示すように、各ページの表示シート２１は両面に表示部を有する。各表示シート２１の配線は綴じ部２２に繋がっている。綴じ部２２には各表示シート２１を駆動するためのドライバが内蔵されている。綴じ部２２には、信号、電源、ＧＮＤの各端子が設けられている。各端子を通じて、書込器３からドライバに給電及び制御信号が入力されることで描画が行われる。各頁の表示部は、メモリ性のある表示素子からなる。各表示シート２１はフレキシブルである。具体的には、可撓性を有する一対の電極１３５付基板１３０間に、球状スペーサ１３１と、上下基板１３０を接着する接着スペーサ１３２と、基板１３０の電極形成面を覆うように設けられた、配向制御・絶縁・ガスバリア等の機能を果たす機能膜１３３（機能膜は複数層からなるものでもよい）と、これらによって囲まれる空間に満たされた表示媒体１３６としての液晶組成物を含んでいる。また、表示パネルには、背面層１３４が設けられている。背面層は使用する液晶組成物や動作モードに合った適当なものを選べばよい。液晶組成物として、電圧無印加状態で表示を維持し続ける特性（メモリ性）を有する、カイラルネマチック液晶などの液晶組成物を用いて、コレステリック液晶相の選択反射を利用して表示を行う場合は、背面層１３４としてコレステリック液晶相によって選択反射される波長以外の光を吸収する光吸収層とする。表示パネルとしては、これ以外にもエレクトロクロミック素子、電気泳動素子、銀析出型表示素子などを用いることができる。これらはメモリ性なので表示を更新するとき以外は電力消費がない。表示シート２１を構成する電極基板上の電極配線は、表示シート２１側端部に引き回され、綴じ部２２に接続されている。
【００１７】
なお、端子を無接点のものとしたり、綴じ部２２の長手方向に沿う複数ライン状の接点としたりすることにより、マガジン状ディスプレイに対する書込器３の取り付け位置に制約を無くすようにしてもよい。このようにすると、ユーザーが書込器３の取り付け位置を気にせず容易にマガジン状ディスプレイに装着できる。
【００１８】
図５は書込器３の詳細な説明図である。図５に示すように、書込器３は、マガジン型ディスプレイ２をはめ込むための溝３１を有する。頂部３２及び底部３３がラウンド形状をしている。頂部３２又は底部３３をクレードル４の窪みに置くことで、書込器３内部の二次電池に充電できる。発光素子からなる表示部３４を有している。新しい情報を受信したときなどに点灯・点滅して着信を知らせる。頂部３２に操作部３４がある。ユーザーが操作することで、新しい画像データでの画面更新等の指示を行う。
【００１９】
溝３１内部にマガジン型ディスプレイ２に給電及び信号送信のための端子３５（図１参照）がある。書込器３の端子３５とディスプレイの端子２３（図１参照）とが接触することで、給電及びデータ送信が行われ、マガジンの画面が更新される。溝３１部内には磁石が設けられており、ディスプレイの綴じ部２２と引き合うように構成されている。
【００２０】
書込器３は、画像データを記憶するためのメモリを内蔵している。底部には、二次電池を充電するための給電端子３５と、画像データや各種データの受取りや外部機器との信号をやり取りするための接点３６を有する。
【００２１】
なお、このような接点を介する構成に代えて、無線でデータを送受信するようにしてもよいし、無端子で充電できるようにしても構わない。
【００２２】
図６はクレードル４を示す図である。図６に示すように、クレードル４は円形で中央部が高く外側になるほど低くなってく放射形状４５をしており、中央部に書込器３を載置するための半円状の窪み４１が設けられている。窪み４１の内部には書込器３に給電するための端子４２がもうけられている。商用電源に接続される。
【００２３】
窪み４１に接続するようにスリット４４が設けられている。クレードル４中心側のスリット４４の幅は、ディスプレイの綴じ部２２の厚みと同等かわずかに大きいサイズとしてある。また、ディスプレイが挿入しやすいように、外端になるほど若干幅広に（すなわち上から見たときにラッパ状に）なっている。
【００２４】
操作部４３がある。クレードル４は、書込器３と協同してディスプレイを自立させることができるような重さを有する。
【００２５】
図７は表示システム１各部の回路ブロック図である。図７に示すように、マガジン型ディスプレイ２には、データを表示するための表示部、表示部を駆動するための駆動部、表示データの書き込み、消去等の命令を認識する認識部、書込器３とデータ接続するための接続部、電源供給のための電源接続部から構成され、書込器３は、クレードル４からのデータを取り込むための接続部、取り込んだデータを記憶するための記憶部、データ処理を行う中央演算装置、各種の操作を行うための操作部、表示部を制御するための表示制御部、ディスプレイ２とデータを送受信する接続部、充電池と充電接続部、ディスプレイ２へ充電池からの電力を供給する電源接続部からなり、クレードル４は、電源のオン、オフやネットワークとの接続を開始するための操作等を行う操作部、ネットワークからの信号を処理する中央処理装置、ネットワークと接続する接続部、ネットワークからのデータを記憶する記憶部、書込器３とデータの送受信を行う接続部、書込器３に電力供給するための充電部、商用ＡＣ電源を利用するための電源部を有する。
【００２６】
図８に実施形態１のクレードル４が実行する処理のフローチャート（Ｓ１〜Ｓ１０）を示す。クレードル４において、操作部で操作があるかどうかを判断し、操作があったときは、コンテンツを切り替えるかどうかを判断する。コンテンツ切り替えをすると判断したとき、データをダウンロード必要があるかどうかを判断し、必要があれば、データ受信する。受信を完了すると、書込器３へのデータ転送とディスプレイ２への更新指示を行う。データのダウンロードの必要がない場合には、データを受信しない。また、コンテンツ切り替えの指示がない場合には、他の処理を行う。操作部での操作がない場合には、着信があるかどうかを判断し、着信がある場合には、書込器３の表示部に着信有りの点灯を行う。その後、データを受信し、書込器３へのデータ転送とディスプレイ更新指示を行い、完了する。処理終了後スリープ状態で、待機しておく。
【００２７】
図９に実施形態１の書込器３が実行する処理のフローチャート（Ｓ２１〜２８）を示す。書込器３において、操作の有無を判断し、操作が合った場合、操作の指示内容を解釈する。次にその指示に応じた表示を行い、画面の更新が必要であれば更新をする。更新が終了、又は更新の必要が無くなれば、終了し、スリープ状態となる。
【００２８】
次に、本願発明の第２の実施形態マガジン２冊を自立させるタイプについて説明する。図１０は本発明の第２実施形態である表示システム１の外観図（各部を組み合わせた状態）であり、図１１は第２実施形態の書込器３の外観図であり、図１２は第２実施形態のクレードル４の外観図である。
【００２９】
クレードル４に第２のスリットを設けることにより、図１０に示すように２冊のディスプレイを自立させることができる。図１１に示すように、書込器３が前後に２つの溝３０１、３０２を有しているので、これに対応したクレードル４上の位置に２つのスリット４０１、４０２を形成する（図１２参照）。互いに背中合わせに配置された２つの溝を有する。外形が上下及び表裏で対象な形状をしている。書込器３の天地や前後が自由なので、クレードル４への置き方等に制約がなく操作性が高まる。２つを交互に更新しても良いし、両者を同時に更新しても良い。
【００３０】
図１３は第２実施形態の回路ブロック図である。図１３に示すように、端子が２組設けられている。書込器３にネットワーク接続機能を持たせている。
【図面の簡単な説明】
【００３１】
【図１】図１は、本発明の実施例１である表示システム１の外観図（各部を取り外した状態）である。
【図２】実施例１の表示システム１の外観図（各部を組み合わせた状態）である。
【図３】マガジン型ディスプレイ２の外観図及び部分拡大断面図である。
【図４】表示シート２１の配線の詳細構成を示す図である。
【図５】実施例１の書込器３の詳細構成を示す図である。
【図６】実施例１のクレードル４の詳細構成を示す図である。
【図７】表示システム１各部の回路ブロック図である。
【図８】実施例１のクレードル４が実行する処理のフローチャートである。
【図９】実施例１の書込器３が実行する処理のフローチャートである。
【図１０】本発明の実施例２である表示システム１の外観図（各部を組み合わせた状態）である。
【図１１】実施例２の書込器３の外観図である。
【図１２】実施例２のクレードル４の外観図である。
【図１３】実施例２の回路ブロック図である。
【符号の説明】
【００３２】
１  表示システム
２  マガジン型ディスプレイ
３  書込器
４  クレードル
２１  表示シート
２２  綴じ部
２３、３５、４２  端子
３１、３０１、３０２  溝
３２  頂部
３３  ラウンド部
３４  表示部
３６  接点
４１  窪み
４３  操作部
１３０  基板
１３１  球状スペーサ
１３２  接着スペーサ
１３３  機能膜
１３４  背面層
１３５  電極
４０１、４０２  スリット
【図１】
2007298653.tif 000003
【図２】
2007298653.tif 000004
【図３】
2007298653.tif 000005
【図４】
2007298653.tif 000006
【図５】
2007298653.tif 000007
【図６】
2007298653.tif 000008
【図７】
2007298653.tif 000009
【図８】
2007298653.tif 000010
【図９】
2007298653.tif 000011
【図１０】
2007298653.tif 000012
【図１１】
2007298653.tif 000013
【図１２】
2007298653.tif 000014
【図１３】
2007298653.tif 000015